(57)【要約】   【課題】  使用後にノズル可動部のゴミ詰まりなどに起因する戻り作動不良によって、噴出ノズルから燃料ガスが漏出し続けて残火が存在しても、この残火を確実に消火するガスライターを提供すること。  【解決手段】  操作ボタン４の操作により噴出ノズルから燃料ガスを噴出させるとともに、点火機構を作動させて燃料ガスに着火させるガスライターにおいて、着火空間側に蓋部材１を有し、操作ボタン４側において、下から斜め上方に立ち上がる蓋閉鎖用脚部材22および上から斜め下方に立ち下がる蓋開放用脚部材23が交差するように形成された仕切板２と、この仕切板２側に面する垂直面43を有し、垂直面43の頂部近傍に蓋閉鎖用脚部材22が摺動する上部スライドガイド41と、垂直面43の下部に蓋開放用脚部材23が摺動する下部スライドガイド42が成形された操作ボタン４とよりなる消火機構を具備する。【選択図】      図２
2007225244.tif 000002
【特許請求の範囲】
【請求項１】
操作ボタンの操作により噴出ノズルから燃料ガスを噴出させるとともに、点火機構を作動させて上記燃料ガスに着火させるガスライターにおいて、
着火空間側に蓋部材を有し、操作ボタン側において、下から斜め上方に立ち上がる蓋閉鎖用脚部材および上から斜め下方に立ち下がる蓋開放用脚部材が交差するように形成された仕切板と、
該仕切板側に面する垂直面を有し、該垂直面の頂部近傍に上記蓋閉鎖用脚部材が摺動する上部スライドガイドと、該垂直面の下部に上記蓋開放用脚部材が摺動する下部スライドガイドが成形された操作ボタンとよりなる消火機構を具備することを特徴とするガスライター。
【請求項２】
仕切板は、ヒンジ部を介してガスレバーと一体に成型されて傾動自在であることを特徴とする請求項１に記載のガスライター。
【請求項３】
仕切板は、その左右両側に軸となる突起を設け、該突起を中間ケースあるいはタンク本体側面に成形した孔に嵌め込んで仕切板を傾動自在にしたことを特徴とする請求項１に記載のガスライター。
【請求項４】
蓋部材は、仕切板の傾動により噴出ノズル上から斜後方に回動することを特徴とする請求項２または請求項３に記載のガスライター。
【請求項５】
蓋部材は、燃料ガスと空気を混合するキャップの内側に設けられていることを特徴とする請求項１に記載のガスライター。
【発明の詳細な説明】
【技術分野】
【０００１】
この発明は、ガスライターの使用終了後に、ガスライターの残火を確実に消す消火機構を備えたガスライターに関し、特に噴出ノズルの弁機構の開閉に不具合が生じて燃料ガスが漏出しても、漏出ガスの流れを遮断して確実に消火する消火機構を備えたガスライターに関する。
【背景技術】
【０００２】
従来のガスライターは、たばこ等に点火する手段として意図的な操作によって燃料ガスの噴出と点火操作を同時に行って着火し、意図的に操作した状態を解除することにより消火している。
【０００３】
操作を解除して消火状態に戻っても、粉塵が噴出ノズルの弁や噴出ノズルとガスレバーの間などに入り込むことなどによって噴出ノズルの弁が完全に閉塞することなく、燃料ガスが漏出することがある。このような漏出ガスにより着火状態（残火）が持続すると、予期しない火傷や火災などの事故に発展する可能性ある。
【０００４】
そこで、ガスライターの操作した状態を解除したときの消火を確実にするために、操作時のみ噴出ノズルを開放し、非操作時に噴出ノズルをバーナーキャップで塞ぐことにより、残火を消すように構成したガスライターが下記特許文献などに開示されている。
【特許文献１】特開２００１−１０８２３４号公報
【特許文献２】特開平７−１５８８５２号公報
【発明の開示】
【発明が解決しようとする課題】
【０００５】
特許文献１に記載のガスライターにおいては、操作ボタンと同時に操作するセットボタンを設け、セットボタンに連動して左右に開動するバーナーキャップを備え、燃料ガスを噴出する噴出ノズルをバーナーキャップにより常時包囲し、セットボタンを押し下げた際にバーナーキャップが左右に開動して噴出ノズルを露出するように構成している。ライター使用後は、操作ボタンから指を離すことにより、操作ボタンの自動復帰に伴ってガスを遮断させる。何らかの不具合により燃料ガスが漏出した場合でも、リターンラバーの弾力によって包囲状態に戻るバーナーキャップにより噴出ノズルを包囲して、漏出ガスに起因する残火を消すように構成している。
【０００６】
しかし、このガスライターは左右に開閉するバーナーキャップを噴出ノズルの周りに設けているので、バーナーキャップが左右に広がる空間をキャップ内に設ければならず、消火機構を小さくすることができないという問題がある。また、着火ボタンとは別のセットボタンの操作によりバーナーキャップを作動させねばならず、操作が面倒であった。
【０００７】
特許文献２に記載のガスライターにおいては、操作ボタンに設けたシャッターを非操作時には常時燃料ガスが噴出する噴出ノズルの吹出口に接触させ、着火操作時には操作ボタンの押し下げによって噴出ノズルから前方に押し出されてガス通路を開放し、ガスライター使用後は、操作ボタンから指を離すことにより、操作ボタンの自動復帰に伴ってガスを遮断させるとともにシャッターが噴出ノズル上で留まるように構成している。
【０００８】
しかし、このガスライターにおいてはシャッターが前方に押し出されるために、前方に広い空間を設けなければならず、消火機構を小さくすることができないという問題があった。また、シャッターは操作ボタンに片持ちさせているので、頻回の操作により次第にガタを生じてくるという課題があった。
【０００９】
そこで、この発明の消火機構を備えたガスライターは、このような課題を解決するために考えられたものであって、消火機構の可動空間を小さくし、構成および操作を簡素化したものである。
【課題を解決するための手段】
【００１０】
この発明のガスライターは、操作ボタンの操作により噴出ノズルから燃料ガスを噴出させるとともに、点火機構を作動させて上記燃料ガスに着火させるガスライターにおいて、着火空間側に蓋部材を有し、操作ボタン側において、下から斜め上方に立ち上がる蓋閉鎖用脚部材および上から斜め下方に立ち下がる蓋開放用脚部材が交差するように形成された仕切板と、この仕切板側に面する垂直面を有し、垂直面の頂部近傍に上記蓋閉鎖用脚部材が摺動する上部スライドガイドと、垂直面の下部に上記蓋開放用脚部材が摺動する下部スライドガイドが成形された操作ボタンとよりなる消火機構を具備するものである。
【発明の効果】
【００１１】
この発明のガスライターは、操作ボタンの非操作時に、噴出ノズルの上を覆う位置にあり、操作ボタンの操作時に、噴出ノズルの上から待避する蓋部材よりなる消火機構を具備することにより、噴出ノズル内にある弁機構を開くガスレバーの誤作動、ノズル可動部のゴミ詰まりなどに起因する戻り作動不良によって、噴出ノズルから燃料ガスが漏出し続けて残火が存在しても、蓋部材が定位置に戻ることにより噴出ガスが蓋部材に当たって、ガスを遮断または拡散させることになり、残火を確実に消火することができる。
【００１２】
また、この発明のガスライターにおいては、消火機構の蓋部材を円滑に傾動でき、かつ、消火機構を小型化できるので、炎を形成するキャップの内側に設けることができる。外観やデザインに影響することがなく、操作においても従来のガスライターと同じである。
【発明を実施するための最良の形態】
【００１３】
（第１の実施形態）
図１は、この発明の消火機構を備えたガスライターの第１の実施形態を縦方向に裁断して示す断面図である。図２(ａ)は、キャップ５を外した状態の非操作状態を示す図であり、図２(ｂ)は、キャップ５を外した状態の途中の操作状態を示す図であり、図２(ｃ)は、キャップ５を外した状態の操作状態を示す図である。
【００１４】
ガスライターは、燃料ガスを貯蔵するライター本体と、このライター本体からのガス通路を開閉し燃料ガスの供給を制御する弁機構62と、この弁機構62に連通してガスを噴出する噴出ノズル６と、この噴出ノズル６を引き上げて弁機構62の開閉作動を行うガスレバー３と、噴出ノズル６のノズルチップ61から放出されるガスに着火させる圧電ユニット８およびガスレバー３を作動して着火を行う操作ボタン４と、残り火消火機構とを備えている。
【００１５】
ライター本体は、合成樹脂で成形された有底筒状のタンク本体の上面に上蓋が気密に固定され、その内部にブタンガスなどの燃料ガスを貯蔵するタンク部分が構成されるとともに、その上部に中間ケース７が嵌着されている。
【００１６】
ライター本体の上蓋には、貯蔵された燃料ガスの噴出量を制御する公知の弁機構62が設けられ、弁機構62の中心にパイプ状の噴出ノズル６が軸方向に移動可能に配設され、先端が中間ケース７より上部に突出している。噴出ノズル６の先端部にはノズルチップ61が装着され、放電点火による着火性を向上させるために、噴出されるガスの一部を外周部に拡散させて空気の混合性を高めている。
【００１７】
点火機構は、圧電ユニット８に結線された放電電極81が操作ボタン４の上部に設けられ、圧電ユニット８の作動に伴って発生される高電圧パルスが、放電電極81とノズルチップ61との間に印加されて放電が行われる。
【００１８】
操作ボタン４の押し下げにより圧電ユニット８の上半分が下降移動する。この圧電ユニット８の可動部分に、ガスレバー３の脚部に当接してガスレバー３を回動させるレバー押し44が設けられている。
【００１９】
本発明の消火機構は、頂部に火口51を有するキャップ５と操作ボタン４とに囲まれる着火空間において、ヒンジ部24を介してガスレバー３と一体に成型された傾動自在な仕切板２を備え、操作ボタン４の操作時に仕切板２が傾動して、仕切板２の着火空間側（表側）に形成した蓋部材１が、噴出ノズル６のノズルチップ61の上から斜後方に回動し、操作ボタン４の操作終了時（非操作時）に、噴出ノズル６のノズルチップ61の上に戻るように構成したものである。
【００２０】
図２の断面図（ａ2）、（ｂ2）、（ｃ2）および２方向から見た図３の斜視図（ａ）、（ｂ）に示すように、仕切板２とガスレバー３とを連結するヒンジ部24は、薄肉化されて屈曲自在に構成されている。仕切板２には、中心線に沿って縦方向に、放電電極81が昇降するスリット21が形成され、仕切板２に設けた板状の蓋部材１にも放電電極81が昇降するための切欠き11が形成されている。
【００２１】
仕切板２の操作ボタン側（裏側）には、仕切板２の下から斜め上方に立ち上がる２本の蓋閉鎖用脚部材22が左右両側に形成され、仕切板２の上から斜め下方に立ち下がる蓋開放用脚部材23が２本形成されている。２本の蓋閉鎖用脚部材22は、２本の蓋開放用脚部材23の間に互いに交差するように配置されている。
【００２２】
ガスレバー３の屈曲部の左右両側に、回動軸となる円柱状の突起31を設け、中間ケース６あるいはタンク本体側面に突起31に対応する孔72（図５参照）を成形し、この突起31を孔72に嵌めてガスレバー３を回転自在に支持させる。
【００２３】
蓋閉鎖用脚部材22、蓋開放用脚部材23および蓋部材１を有する仕切板２は、着火空間を覆うキャップ５の内側に位置しているが、炎はキャップ５の火口51の上に立ち上るので、炎によって直接加熱されることがないから、仕切板２は、耐熱性の合成樹脂によってガスレバー３とともに一体成型されている。薄肉のヒンジ部24や、細い蓋閉鎖用脚部材22、蓋開放用脚部材23は弾性を有し、力が加わると変形し、解除されると元の状態に戻る。
【００２４】
操作ボタン４は、その押し下げによりレバー押し44を介して、軸31を中心にガスレバー３を回動させて噴出ノズル６を上昇させ、ノズルチップ61から燃料ガスを噴出させるとともに、圧電ユニット８を押し下げて高電圧パルスを発生させ、放電電極81とノズルチップ61との間で放電して噴出ガスに点火するものである。
【００２５】
図４に示すように、操作ボタン４は、仕切板側（内側）に垂直面43を有し、この垂直面43の頂部近傍にコ字形の窪みを有し、この窪みの中央に放電電極81を設けた上部スライドガイド41が形成されており、下部に上端を閉じて下端を開放した窪み状の下部スライドガイド42が成形されている。
【００２６】
上部スライドガイド41には、２本の蓋閉鎖用脚部材22が嵌って摺動し、下部スライドガイド42には、２本の蓋開放用脚部材23の先端がそれぞれ嵌り込んで摺動するものである。
【００２７】
ライターを組み立てる際には、中間ケース７の孔72にガスレバー３とともに仕切板２を填め込み、仕切板２の蓋閉鎖用脚部材22を操作ボタン４の上部スライドガイド41に填め、蓋開放用脚部材23の先端を下部スライドガイド42に填める。そして、２本の蓋閉鎖用脚部材22の間および仕切板２のスリット21を経て放電電極81を突出させる。
【００２８】
図２の斜視図（ａ1〜ｃ1）、断面図（ａ2〜ｃ2）および平面図（ａ3〜ｃ3）は、この発明の消火機構の一連の作動状態を示す図である。
【００２９】
操作ボタン４が一番上に位置する非操作状態においては、図２の（ａ1）、（ａ2）および（ａ3）に示すように、蓋閉鎖用脚部材22の先端部が操作ボタン４の上部スライドガイド41に嵌り、蓋開放用脚部材23の先端が操作ボタン４の下部スライドガイド42に嵌り込んで、蓋閉鎖用脚部材22および蓋開放用脚部材23は弾性変形することなく、仕切板２が着火空間側に傾き、仕切板２に形成した蓋部材１がノズルチップ61の上を覆った状態で静止している。
【００３０】
操作ボタン４を押し下げて行くと、図２の（ｂ1）、（ｂ2）および（ｂ3）に示すように、仕切板２の蓋閉鎖用脚部材22は、操作ボタン４の上部スライドガイド41との接触より徐々に開放され、蓋開放用脚部材23の先端は、下部スライドガイド42から離れ、操作ボタン４の垂直面43に乗り上げて弓形に弾性変形しながら仕切板２が操作ボタン側に傾き、仕切板２に形成した蓋部材１がノズルチップ61の上から後方に待避する。
【００３１】
さらに操作ボタン４を深く押し下げると、図２の（ｃ3）、（ｃ3）および（ｃ3）に示すように、ガスレバー３の回動により噴出ノズル６が上昇させられて弁機構62を開いて燃料ガスが噴出させるとともに、放電電極81もノズルチップ61の先端に接近する。圧電ユニット８も押し下げられて高電圧パルスが発生し、放電電極81からの放電により噴出された燃料ガスに着火する。
【００３２】
操作ボタン４から指を離して着火操作を解除すると、圧電ユニット８に組み込まれているスプリングの弾力によって、操作ボタン４が元の非操作状態に戻ると、蓋閉鎖用脚部材22が操作ボタン４の上部スライドガイド41に押され、蓋開放用脚部材23が操作ボタン４の垂直面43との接触から開放されて下部スライドガイド42に嵌り込んで、仕切板２が着火空間側に傾き、ノズルチップ61の上を蓋部材１が覆う。このとき、ガスレバー３も非操作状態に戻って弁機構62を閉じ、燃料ガスの噴出を止めて消火させる。
【００３３】
砂粒などの異物がガスライターの内部に入り込んで、ガスレバー３とライター本体との間に異物が挟まったり、圧電ユニット８の外箱と内箱との隙間に異物が噛み込まれて、操作ボタン４から指を離しても、弁機構62が完全に閉じないで燃料ガスを漏出させる戻り作動不良を生じて、噴出ノズル６のノズルチップ61に火種が残ることがある。このような場合でも、操作ボタン４の上昇により仕切板２が着火空間側に傾き、非操作状態に戻って蓋部材１が噴出ノズル６のノズルチップ61を覆うので火種を消すことができる。このとき、蓋部材１が噴出ノズル６のノズルチップ61に完全に密着しなくても消火することができる。
【００３４】
（第２の実施形態）
以上で説明した第１の実施形態においては、仕切板２は、ヒンジ部24を介してガスレバー３と一体に成型されているが、図５の斜視図（ｂ）に示すように、仕切板２の左右両側に円柱状の突起25を設けて、仕切板２をガスレバー３とは別体に成型し、図５の正面図（ａ）に示すように、中間ケース７あるいはタンク本体側面にガスレバー３の突起31に対応する孔72と仕切板２の突起25に対応する孔71を成形し、仕切板２の突起25を孔71に嵌め込んで仕切板２を回動自在に取り付けてもよいのである。
【図面の簡単な説明】
【００３５】
【図１】この発明の消火機構を備えた第１の実施形態のガスライターの上部を縦方向に裁断して示した断面図、
【図２】第１の実施形態にのキャップを外して示す斜視図（ａ）、要部の縦断面図（ｂ）および平面図（ｃ）、
【図３】第１の実施形態の消火機構の構成部品を示す斜視図、
【図４】第１の実施形態の消火機構の他の構成部品を示す斜視図、
【図５】第２の実施形態のキャップを外して示す非操作状態の正面図（ａ）および斜視図（ｂ）である。
【符号の説明】
【００３６】
１  蓋部材
11  切欠き
２  仕切板
21  スリット
22  蓋閉鎖用脚部材
23  蓋開放用脚部材
24  ヒンジ部
25  突起
３  ガスレバー
31  突起
４  操作ボタン
41  上部スライドガイド
42  下部スライドガイド
43  垂直面
５  キャップ
51  火口
６  噴出ノズル
61  ノズルチップ
62  弁機構
７  中間ケース
71、72  孔
８  圧電ユニット
81  放電電極
【図１】
2007225244.tif 000003
【図２】
2007225244.tif 000004
【図３】
2007225244.tif 000005
【図４】
2007225244.tif 000006
【図５】
2007225244.tif 000007